(57)【要約】      （修正有）【課題】災害時応急給水タンク用格納容器及びその格納容器を用いた給水タンクを提供する。【解決手段】プラスチック製段ボールで平らに畳める八角形を成形し、底部辺に内方に折り曲げられるフラップを一体に設けた筒形本体１と、その中に収納する二つ折りできる底蓋と、筒形本体内に収納する補強用筒体３と、二つ折りできる上蓋４とから成り、筒形本体に２本の折曲げ線で形成した横幅の山折り用の折曲げ辺１２と１本の谷折り用の折曲げ線１３を交互に形成し、筒形本体の底部辺にフラップの折曲げ線を形成し、底蓋に折曲げ線１３を形成し、筒形本体１の中に収納する補強用筒体に２本の山折り用の折曲げ線で形成した横幅の折曲げ辺と１本の谷折り用の折曲げ線を交互に形成し、上蓋の中央に立ち上がり辺と同じ横幅の折曲げ線で折曲げ辺を形成した。【選択図】図１
0003216082.tif 000002
【実用新案登録請求の範囲】
【請求項１】
複数層のプラスチック製段ボールで扁平に折り畳める八角形を成形すると共に、底部辺に沿って内側に折り曲げられるフラップ（１１）を一体に設けた筒形本体（１）と、筒形本体（１）の内底に収納する二つ折りできる底蓋（２）と、筒形本体（１）の中に収納する補強筒体（３）と、被冠用立ち上がり辺（４１）を有する所定幅（ｗ′）で二つ折りできる上蓋（４）とから成り、筒形本体（１）の八角形の角部に２本の折曲げ線（１２１）・（１２１）で形成した横幅（ｗ）の折曲げ辺（１２）と１本の折曲げ線（１３）を交互に形成し、当該筒形本体の底部辺に折曲げ線（１１１）付きのフラップ（１１）を一体に形成し、底蓋（２）の中央に１本の二つ折り用の折曲げ線（１３）を形成し、筒形本体（１）の中に収納する補強筒体（３）の八角形の角部に２本の折曲げ線（１２１）・（１２１）で形成した横幅（ｗ）の折曲げ辺（１２）と１本の折曲げ線（１３）を交互に形成し、上蓋（６）の八角形部の中央に立ち上がり辺（４１）と同じ幅（ｗ′）の折曲げ線（１４）・（１４）で折曲げ辺（４２）を形成し、筒形本体（１）と補強用筒体（３）の下部に給水用口金の通し穴（５）・（８）を形成し、且つ筒形本体（１）の上部に水量確認用の覗き窓（６）を形成したことを特徴とする災害時応急給水タンク用格納容器。
【請求項２】
筒形本体（１）の対向する正面側と背面側の折曲げ線（１３）を挟んだ左右両側に横幅（ｗ）の折曲げ辺（１２）を折り曲げ線（１２１）・（１２１）から山折りし、中間の折曲げ線（１３）を谷折りする八角形のうち、正面側と背面側の対向する２面が扁平に折り畳まれるように構成された請求項１記載の災害時応急給水タンク用格納容器。
【請求項３】
補強用筒体（３）の対向する正面側と背面側の折曲げ線（１３）を挟んだ左右両側の横幅（ｗ）の折曲げ辺（１２）を折曲げ線（１２１）・（１２１）から山折りし、その中間の折曲げ線（１３）を谷折りする八角形のうち、正面側と背面側における２面が扁平に折り畳まれるように構成された請求項１記載の災害時応急給水タンク用格納容器。
【請求項４】
上蓋（４）の周囲に被冠用立ち上がり辺（４１）を設けると共に、中央に当該立ち上がり辺の高さ（ｈ）と同じ折曲げ幅（ｗ′）を形成する折曲げ線（１４）・（１４）を設けると共に、折曲げ線（１４′）・（１４′）左右の両端に位置する立ち上がり辺を折曲げ幅（ｗ′）の範囲で切欠いた凹部（１６）を形成した請求項１記載の災害時応急給水タンク用格納容器。
【請求項５】
フラップ（１１）を内側に直角に折り曲げて補助底部とし、その補助底部フラップ（１１）の上に底蓋（２）を載置し、筒形本体（１）の中に貯水袋（Ｄ）を収納し、その下部の開閉コック（９）付きの給水口金（７）を通し穴（８）・（５）から突出させ、これに蛇口（１０１）付きの給水スタンド（１０）における導水ホース（１０２）の先端に導水口金（１０３）を取付け、筒形本体（１）の上部開口に上蓋（４）を被せてなる請求項１記載の災害時応急給水タンク用格納容器を用いた給水タンク。
【考案の詳細な説明】
【技術分野】
【０００１】
本考案は、災害時応急給水用タンク用格納容器及びその格納容器を用いた給水タンクに関するもので、剛性に優れ、があり頑丈で組み立て及び分解・折り畳みが容易で且つ耐水性に富み、比較的軽量でコンパクトに収納でき、輸送・設置がし易く、不使用時は嵩張らずに格納保管に便利な構造にしたものである。
【０００２】
一般に、地震や豪雨等大きな災害が発生した後は、ライフラインの水道、電気、ガス等が遮断されて生活機能が失われる。そのような事態に直面すると、特に飲料水の確保が必要不可欠になる。
【０００３】
災害時における飲料水の確保については、従来から様々な技術が開示されている。その中でも１０ｔoｎ以上の地下埋設型や２〜３ｔoｎの地上設置の大型のポリタンクや２〜３ｔoｎの給水車からの直接配給を除く１ｔoｎ程度の飲料水が貯水できるポリエチレン製の袋体を用い、これを保持する槽を比較的小規模ながら、緊急時に迅速に組み立てて貯水し災害現場に設置して被災者に安全迅速に給水できる給水槽が望まれる。
【０００４】
従来においても、ポリエチレン等のプラスチック系の貯水袋をプラスチック又は木材や金属製の枠と側板等で保持する構造のものが知られている。
【先行技術文献】
【特許文献】
【０００５】
【特許文献１】特開平０８−１６４９９１号の公開特許公報
【特許文献２】実用新案登録第３１５９３０４号の登録実用新案公報
【特許文献３】実用新案登録第３１８２０８５号の登録実用新案公報
【特許文献４】実用新案登録第３１９３４３３号の登録実用新案公報
【考案の概要】
【考案が解決しようとする課題】
【０００６】
上記特許文献１の発明は、各種液体類を輸送乃至貯蔵するのに際し、簡単に組立てて使用することができる組立式液体用コンテナを提供することを目的とし、その構成は底部基礎台の上に下部に排液口用孔部が穿設されたコンテナ側壁用筒状体が設置され、上部に給液口、下部に排液口が夫々設けられた液貯留用袋体が、該排液口をコンテナ側壁用筒状体の排液口用孔部位置させた態様でコンテナ側壁用筒状体の内部に収納されると共に、コンテナ側壁用筒状体の天井面が蓋体被覆されてなる組み立て式液体用コンテナである。
【０００７】
これによって、各種液体類の輸送乃至貯蔵の際に、簡単に組み立てた使用することができ、液体輸送後や不使用時には、通常折りたたむことができ、取り扱いが容易で無用の空間容積を要しない就中、液体の一時的な簡易な貯蔵や輸送に利便であって費用の面でも有利である、としている。
しかしながら、このコンテナは、主として各種液体類の一時的な輸送乃至貯蔵するものであるから、本考案のように災害現場での引用目的とするものではないため、その給水口がその飲用給水に向く配慮はされていない。
【０００８】
また、特許文献２〜４は、本考案の出願人の権利に係るものであり、その目的とするところは、軽量で組み立て及び分解・折り畳みが容易で、不使用時は嵩張らずに保管に便利な緊急時用飲料水の貯水及び給水槽を提供する。
【０００９】
上記の特許文献２〜４の給水槽はいずれも紙製の段ボール製であるから、比較的軽量であり、強度もある程度保てるが、耐水性に難点があるため。雨天の野外に設置するには、濡れないように給水槽全体を透明ビニル袋体ですっぽり被せた上、給水槽外周をベルトで外れないように締め付けているのが実情である。したがってその手間が掛り、部材点数が増えてコスト高になるのが実情である。
【００１０】
そして、給水槽の筒形本体の底部のフラップは内側に折り畳むが外側であると、水分を吸って耐久性に欠けるため、立ち上がり辺を設けた底蓋の内側に畳み込んで使用していた。
【００１１】
そこで本考案は、多角形のうち、特に八角形の筒形本体、上蓋、貯水袋からなる給水槽は、特許文献３と共通する点は有するが、さらに耐水性に優れると共に強度が高く、使用時の安定感に富み、且つ不使用時における収納保管が紙製段ボールに比べてよりコンパクトにまとめられようにしたもので、大雨でも大雪でも外で使える屋外・屋内兼用タイプの災害時応急給水用タンク用格納容器及びその格納容器を用いた給水タンクを提供するものである。
【００１２】
上記の目的を達成するために、本考案の第１は、災害時応急給水用タンク用の格納容器において、複数層のプラスチック製段ボールで扁平に折り畳める八角形を成形すると共に、底部辺に沿って内側に折り曲げられるフラップを一体に設けた筒形本体と、筒形本体の内底に収納する二つ折りできる底蓋と、筒形本体の中に収納する補強筒体と、被冠用立ち上がり部を有する所定幅で二つ折りできる上蓋とから成り、筒形本体の八角形の角部に２本の折曲げ線で形成した細幅の折曲げ辺と１本の折曲げ線を交互に形成し、当該筒形本体の底部辺にフラップの折曲げ線を形成し、底蓋の中央に１本の二つ折り用の折曲げ線を形成し、筒形本体の中に収納する補強筒体の八角形の角部に２本の折曲げ線で形成した細幅の折曲げ辺と１本の折曲げ線を交互に形成し、上蓋の八角形の中央に立上がり辺の高さと同じ幅の折曲げ線で折曲げ辺を形成し、筒形本体と補強用筒体の下部に給水用口金の通し穴を形成し、且つ筒形本体の上部に水量確認用の覗き窓を形成したものである。
【００１３】
本考案の第２は、第１の考案に係る災害時応急給水用タンク用の格納容器において、上蓋の周囲に被冠用立ち上がり辺を設けると共に、中央に当該立ち上がり辺の高さと同じ折曲げ幅を形成する折曲げ線を設けると共に、折曲げ線左右の両端に位置する立ち上がり辺を折曲げ幅の範囲で凹部を形成したものである。
【００１４】
本考案の第３は、第１の考案に係る災害時応急給水用タンク用の格納容器において、筒形本体の対向する正面側と背面面側の折曲げ線を挟んだ左右両側の細幅の折曲げ辺を折り曲げ線から山折りし、中間の折曲げ線を谷折りして八角形のうち、正面側と背面側の対向する２面が扁平に折り畳まれるようにしたものである。
【００１５】
本考案の第４は、第１の考案に係る災害時応急給水用タンク用の格納容器において、補強筒体の対向する正面側と背面側の折曲げ線を挟んだ両側の細幅の折曲げ辺を折曲げ線から山折りし、中間の折曲げ線を谷折りして八角形のうち、正面側と背面側における２面が平らに折り畳まれるようにしたものである。
【００１６】
本考案の第５は、災害時応急給水用タンク用の格納容器を用いた給水タンクにおいて、フラップを内側に直角に折り曲げて補助底部とし、その補助底部フラップの上に底板を載置し、筒形本体の中に貯水袋を収納し、その下部の開閉コック付きの給水口金を通し穴から突出させ、これに蛇口付きの給水スタンドにおける給水ホースの先端の取付け口金を取り付け、筒形本体の上部開口に上蓋を被せてなるものである。
【考案の効果】
【００１７】
本考案は上記の構成であるから、八角形の筒形本体及び八角形の補強用筒体、上蓋と底蓋がプラスチック製段ボールであるから、耐水性に富み、災害地において、大雨や大雪時においても、給水槽を透明ビニル袋で被せる必要がなく、設置作業および撤収作業を迅速に行える。また、屋外のほか屋内においても設置して使用が可能である。
【００１８】
また、筒形本体の底部辺と一体のフラップは底蓋の外底面に沿って内方に向かって直角に折り曲げるだけでよく、あとは、筒形本体・補強筒体の自重や筒形本体内に収納して給水した貯水袋の重量で当該フラップを架設台に押し付けた状態となり、筒形本体を動かないように定置することができる。
そして、筒形本体の中には当該本体と相似形で中に収納できる大きさに設定した八角形の補強用筒体を出し入れ自由に挿入したから、１ｔoｎの貯水袋を収納しても筒形本体が変形することなく、しかも安定して設置することができる。
【００１９】
さらに、筒形本体は、その八角形の折曲げ角部が２本の折曲げ線によって形成された比較的細い横幅の山折り用折曲げ辺と１本の谷折り用折曲げ線が交互に設けられているので、格納時は谷折り用折曲げ線を挟んだ左右の山折り用折曲げ線を山折りすると共に真ん中の折曲げ線が谷折りされて左面側と右面側の２面が略Ｍ字形に折り畳まれていき、正面側と背面側の対向２面同士が平らに重なってコンパクトに畳まれる。このとき本体底部のフラップは下方に垂れ下がる状態にして正背面と左右側面、斜め側面と同一面にしておけるから、コンパクトに畳まれる。
【００２０】
そして、上蓋と底蓋は、その真ん中から二つ折りにして畳めることができるから、
開いた時にはかなりの面積を要していたものが半分の面積に減らすことができる。
しかも、上蓋はその立ち上がり辺の高さだけ、畳んだときに中にスペースができるから、給水タンクの組み立てに必要な部品や小道具を収容しておくことができる。また、組み立てた筒形本体のフラップ上に貯水袋を直接載せると当該フラップの角部当で傷つけるおそれがあるが、底蓋をフラップの上に載せるだけで貯水袋が保護される。
【図面の簡単な説明】
【００２１】
【図１】本考案に係る災害時応急給水用タンクに給水スタンドを備えた使用の斜視図である。
【図２】図１の筒形本体の折り畳み状態を底部方向からみた斜視図である。
【図３】底蓋の斜視図である。
【図４】筒形本体に挿入する補強用筒体の折畳み状態を底部側から見た斜視図ある。
【図５】上蓋を内側からに畳んだ状態の斜視図である。
【図６】上蓋を二つ折りに畳んだ斜視図である。
【図７】架設台から外したパレットに載せた状態で、筒形本体に補強用筒体を挿入する途中を示す斜視図である。
【図８】フラップを内方に折り曲げた状態を示す筒形本体の平面図である。
【図９】筒形本体の八角形の稜角部の詳細を示す一部の拡大平面図である。
【考案を実施するための形態】
【００２２】
本考案は上記の構成において実施する形態は次のとおりである。
１は、内外面の硬質シートの間に凹凸波状又は円筒状の中芯が熱溶着で設けられている３層構造の市販のプラスチック製段ボールで成形した八角形の筒形本体であり、図示例は八角形の隣り合う面の稜角に左右２本の折曲がり線１２１・１２１によって比較的細い横幅ｗ（約２ｃｍ）の山折り用折曲げ辺１２が形成されている。この折曲げ辺１２は、折り畳むときにおいて山折り専用である。また、左右の折曲げ辺１２・１２の中間に位置する谷折り用折曲げ線１３は、１本の線で形成されていた折り畳むときの谷折り専用である。なお、ここでいう山折りは、八角形の筒形本体１の外側の隣り合う２面を折り曲げたときに、そのまま互いに外側面となる。また、谷折りは、八角形の筒形本体１の外側の隣り合う２面を折り曲げたときに、互いに内面になる状態を意味する。
【００２３】
このように山折り用の折曲げ辺１２と谷折り用の折曲げ線１３とを交互に設けたのは、図２に示すように、筒形本体１を畳むときに八角形のうち、対向する２面を平らに折り畳むには当該筒形本体１の材料が硬質のプラスチック製段ボールであるために１本の折曲げ線で山折りにして扁平に折り曲げるのが困難であることによる。
また、筒形本体１のフラップ１１は、底部辺の折曲げ線１１１から内側に向けて直角の折り曲げられるように成形されている。
【００２４】
２は、筒形本体１の中に収納して筒形本体底部の折り曲げたフラップ１１の上に載置する底蓋であり、その平面の中間に二つ折りできるように１本の折曲げ線１３が設けられ、二つ折りにして重ねて平らに畳めるようになっている。また、底蓋２は蓋といっても立ち上がり辺のない板状で可能である。すなわちフラップ１１を内方に折り曲げて貯水袋Ｄを支受しその上に底蓋２を載置することによる。
【００２５】
図４において、３は筒形本体１の中に挿入して当該筒形本体を補強するための補強用筒体であり、その外形は筒形本体１と相似形である。すなわち、図９に示す八角形の稜角部に比較的細い横幅ｗで形成した２本の山折り用折曲げ線１２１・１２１によって左右の折曲げ辺１２・１２及びその中間に位置する１本の谷折り用折曲げ線１３による外形が図７のように筒形本体１に収まる大きさの相似形になるものである。
【００２６】
４は、筒形本体１の上部開口に被せる上蓋であり、平面の中間に二つ折りできる横幅ｗ′の折曲げ辺４２が両側の折曲げ線１４・１４によって形成されている。横幅ｗ′の寸法は上蓋４の立ち上がり辺４１の高さｈ（３〜５ｃｍ）に合わせてある（図５、図６）。
【００２７】
５は筒形本体１の下部を刳り貫いてあけた口金通し孔、６は筒形本体１の対向２辺の上部に設けた覗き窓であり、貯水袋Ｄに注入する飲料水の水量を確認するためのものである。縦長のスリット状に刳り貫いた孔から貯水袋Ｄの飲料水を視認して１ｔoｎの水量の限界や水量の減量変化を確認できるようになっている。なお、この覗き窓６は、補強用筒体３には設けられていない。補強用筒体３の高さは覗き窓の位置より低く設定してあることによる。７は貯水袋Ｄの下部に設けた給水用の口金、８は補強筒体３の下部を刳り貫いてあけた口金通し孔、９は貯水袋Ｄの給水用口金の開閉コックである（図１）。
【００２８】
１０は給水スタンドであり、蛇口１０１、導水ホース１０２、導水ホース先端接続具１０３を備えてある（図１）。
【００２９】
１１は、八角形の筒形本体１の底部フラップであり、筒形本体１の底部辺に一体に設け、その付け根に相当する底部辺に折曲げ線１１１が形成されていて、その折曲げ線から内方（筒体の中心方向）に向けて９０度折り曲げることによって、補助底部となる。（図２、図８、図９）。
【００３０】
１２は、八角形の筒形本体１の横幅ｗの折曲げ辺であり、プラスチック製筒形本体１の３層構造をなす内面シートと断面が凹凸波形状又は円筒状の中芯を押し潰して成形した細い凹条溝を折曲げ線１２１・１２１としてある（図９、図２、図８）。１３は左右両側の山折り用折曲げ辺１２・１２の中間に位置する１本の谷折り用折曲げ線であり、折曲げ辺１２の折曲げ線１２１と同じように成形した比較的細い凹条溝を折曲げ線１３としてある。なお、底蓋２の二つ折りできる１本の折曲げ線１３と上蓋４の折曲げ線１４も上記の内面シートと中芯を押し潰して細い凹条溝を成形してある。これによって、硬質のプラスチックの段ボールであっても折り畳んで収納するときに容易に二つ折りの山折りと谷折りにすることができる（図２、図９）。なお。補強用筒体３にあっても、折曲げ線１２１・１２１を有する折曲げ辺１２と谷折り用の折曲げ線１３による組み立て及び折り畳みの構成は同じである（図４、図９）。
【００３１】
１５は、架設台であり、その上部にはパレット１５′が取り付けられている。パレット１５′は、架設台１５から取り外せるようになっており、筒形本体１、補強用筒体３、底蓋２、貯水袋Ｄ、上蓋４に組み立てるまで架設台１５から外して低い位置に置き、組み立て完了してから架設台１５に載せるようになっている（図７、図１）。
【００３２】
１６は、上蓋４の凹部であり、当該上蓋を二つに折り畳めるように切り欠いたものであり、その横幅ｗは立ち上がり辺４１の高さｈに略同じに合せてある。１７は上蓋４を折り畳んだときにみだりに口が開かないようにする面ファスナー等を用いた止着具である（図５、図６）。
【実施例】
【００３３】
［具体的な組立て及び収納例]
図１は本考案に係る災害時応急給水用タンク用格納容器を用いた給水タンクの設置した状態であるが、その組み立て・分解は次の順序で行う。
（１）図２の折り畳まれた状態の筒体を拡げて八角形の筒形本体１を形成し、フラップ１１を内側に向けて９０度折り曲げて補助底部とし、あらかじめ架設台１５から外したパネル１５′の上に載置する（図７）。
（２）図４の筒体を拡げて補強用筒体３を形成し、口金通し孔８を筒形本体１の口金通し孔５に合わせて当該筒形本体１の中に挿入する（図８）。
（３）図２の底蓋２を筒形本体１・補強用筒体３の中に挿入してフラップ１１の上に載置する。
（４）貯水袋Ｄを筒形本体１内に収納してその給水口金７を口金通し孔８・５に通しておく。
（５）給水スタンド１０の導水ホース１０２の先端の接続具１０３を貯水袋Ｄの給水口金７に取り付ける。
（６）上蓋４を筒形本体１の上部開口に被せる。
（７）筒形本体１とパレット１５′を架設台１５の上に載置する（図１）。
【００３４】
災害地や災害の避難場所等に設置した図１の貯水袋Ｄに給水車で飲料水を注水する。
貯水袋Ｄは１ｔoｎまで収容できるもので、これに給水すると、貯水袋４の自重で底板２を介して筒形本体１のフラップ１１を架設台１５のパレット１５′に押し付けて固定具なしで安定して定置する。
【００３５】
組み立てた給水タンクを分解するには、組み立てと逆の順序で行えばよいが、筒形本体１は、中間の折曲げ線１３を挟んだ左右両側の折曲げ辺１２の折曲げ線１２１・１２１を介して山折りすると、対向する中間の折曲げ線１３が谷折りになり（図２）、対向２面が重なって扁平すなわち平らに折り畳まれる。
【００３６】
補強用筒体３も筒形本体１と同じ要領で中間の折曲げ線１３を挟んだ左右両側の折曲げ辺１２の折曲げ線１２１・１２１を介して山折りすると、対向する中間の折曲げ線１３が谷折りになり（図４）、対向２面が重なってほぼ平らに折り畳まれる。
【００３７】
底蓋２は、折曲げ線１３から二つ折りの板状に畳む。また、上蓋４は２本の折曲げ線１４・１４から二つ折りに畳むと、立ち上がり辺の高さｈだけ、空間を有する箱状が形成される。この空間に給水タンクの組み立てに必要な小物を収容しておくことができる。また、折り畳んだ筒形本体１、底蓋２、補強筒体３、上蓋４を携帯できる箱体（図示省略）にコンパクトに納めることができる。
【産業上の利用可能性】
【００３８】
本考案は、大地震等の災害に伴う緊急時における飲料水の確保と供給に適するもので、筒形本体と補強筒体及び底板と上蓋がすべてプラスチックで製作してあるので、完全防水となり災害地の現場で雨天や降雪等における防水対策が不要である。
また、河川敷や海岸、公園等の野外での各種イベント会場に設置して飲料水の提供にも適し、また、長期に渡って、地域おける防火用水の確保にも適するものであり、用途の拡大が図れる。
【符号の説明】
【００３９】
１…八角形のプラスチック製筒形本体
２…底蓋
３…補強用筒体
４…上蓋
５…補強用筒体の口金通し孔
６…覗き窓
７…貯水袋の給水用口金
８…筒形本体の口金通し孔
９…貯水袋の給水用開閉コック
１０…給水用スタンド
１１…筒形本体と一体のフラップ
１２…横幅の折曲げ線を有する折曲げ辺
１３…折曲げ線
１４…底板の折曲げ線
１５…架設台
１５１…パレット
１６…切欠き凹部
Ｄ…貯水袋
ｈ…上蓋の立ち上がり辺の高さ
ｗ…上蓋の折り曲げ辺の横幅
【図１】
0003216082.tif 000003
【図２】
0003216082.tif 000004
【図３】
0003216082.tif 000005
【図４】
0003216082.tif 000006
【図５】
0003216082.tif 000007
【図６】
0003216082.tif 000008
【図７】
0003216082.tif 000009
【図８】
0003216082.tif 000010
【図９】
0003216082.tif 000011
【手続補正書】
【提出日】平成30年3月20日(2018.3.20)
【手続補正２】
【補正対象書類名】明細書
【補正対象項目名】０００１
【補正方法】変更
【補正の内容】
【０００１】
本考案は、災害時応急給水タンク用格納容器及びその格納容器を用いた給水タンクに関するもので、剛性に優れ、頑丈で組み立て及び分解・折り畳みが容易で且つ耐水性に富み、比較的軽量でコンパクトに収納でき、輸送・設置がし易く、不使用時は嵩張らずに格納保管に便利な構造にしたものである。
【手続補正３】
【補正対象書類名】明細書
【補正対象項目名】００１１
【補正方法】変更
【補正の内容】
【００１１】
そこで本考案は、多角形のうち、特に八角形の筒形本体、上蓋、貯水袋からなる給水槽は、特許文献３と共通する点は有するが、さらに耐水性に優れると共に強度が高く、使用時の安定感に富み、且つ不使用時における収納保管が紙製段ボールに比べてよりコンパクトにまとめられようにしたもので、大雨でも大雪でも外で使える屋外・屋内兼用タイプの災害時応急給水タンク用格納容器及びその格納容器を用いた給水タンクを提供するものである。
【手続補正４】
【補正対象書類名】明細書
【補正対象項目名】００１２
【補正方法】変更
【補正の内容】
【００１２】
上記の目的を達成するために、本考案の第１は、災害時応急給水タンク用の格納容器において、複数層のプラスチック製段ボールで扁平に折り畳める八角形を成形すると共に、底部辺に沿って内側に折り曲げられるフラップを一体に設けた筒形本体と、筒形本体の内底に収納する二つ折りできる底蓋と、筒形本体の中に収納する補強筒体と、被冠用立ち上がり部を有する所定幅で二つ折りできる上蓋とから成り、筒形本体の八角形の角部に２本の折曲げ線で形成した細幅の折曲げ辺と１本の折曲げ線を交互に形成し、当該筒形本体の底部辺にフラップの折曲げ線を形成し、底蓋の中央に１本の二つ折り用の折曲げ線を形成し、筒形本体の中に収納する補強筒体の八角形の角部に２本の折曲げ線で形成した細幅の折曲げ辺と１本の折曲げ線を交互に形成し、上蓋の八角形の中央に立上がり辺の高さと同じ幅の折曲げ線で折曲げ辺を形成し、筒形本体と補強用筒体の下部に給水用口金の通し穴を形成し、且つ筒形本体の上部に水量確認用の覗き窓を形成したものである。
【手続補正５】
【補正対象書類名】明細書
【補正対象項目名】００１３
【補正方法】変更
【補正の内容】
【００１３】
本考案の第２は、第１の考案に係る災害時応急給水タンク用の格納容器において、筒形本体の対向する正面側と背面側の折曲げ線を挟んだ左右両側の細幅の折曲げ辺を折り曲げ線から山折りし、中間の折曲げ線を谷折りして八角形のうち、正面側と背面側の対向する２面が扁平に折り畳まれるようにしたものである。
【手続補正６】
【補正対象書類名】明細書
【補正対象項目名】００１４
【補正方法】変更
【補正の内容】
【００１４】
本考案の第３は、第１の考案に係る災害時応急給水タンク用の格納容器において、補強筒体の対向する正面側と背面側の折曲げ線を挟んだ両側の細幅の折曲げ辺を折曲げ線から山折りし、中間の折曲げ線を谷折りして八角形のうち、正面側と背面側における２面が平らに折り畳まれるようにしたものである。
【手続補正７】
【補正対象書類名】明細書
【補正対象項目名】００１５
【補正方法】変更
【補正の内容】
【００１５】
本考案の第４は、第１の考案に係る災害時応急給水タンク用の格納容器において、上蓋の周囲に被冠用立ち上がり辺を設けると共に、中央に当該立ち上がり辺の高さと同じ折曲げ幅を形成する折曲げ線を設けると共に、折曲げ線左右の両端に位置する立ち上がり辺を折曲げ幅の範囲で凹部を形成したものである。
【手続補正８】
【補正対象書類名】明細書
【補正対象項目名】００１６
【補正方法】変更
【補正の内容】
【００１６】
本考案の第５は、災害時応急給水タンク用の格納容器を用いた給水タンクにおいて、フラップを内側に直角に折り曲げて補助底部とし、その補助底部フラップの上に底板を載置し、筒形本体の中に貯水袋を収納し、その下部の開閉コック付きの給水口金を通し穴から突出させ、これに蛇口付きの給水スタンドにおける給水ホースの先端の取付け口金を取り付け、筒形本体の上部開口に上蓋を被せてなるものである。
【手続補正９】
【補正対象書類名】明細書
【補正対象項目名】００３３
【補正方法】変更
【補正の内容】
【００３３】
［具体的な組立て及び収納例]
図１は本考案に係る災害時応急給水タンク用格納容器を用いた給水タンクの設置した状態であるが、その組み立て・分解は次の順序で行う。
（１）図２の折り畳まれた状態の筒体を拡げて八角形の筒形本体１を形成し、フラップ１１を内側に向けて９０度折り曲げて補助底部とし、あらかじめ架設台１５から外したパレット１５′の上に載置する（図７）。
（２）図４の筒体を拡げて補強用筒体３を形成し、口金通し孔８を筒形本体１の口金通し孔５に合わせて当該筒形本体１の中に挿入する（図７）。
（３）図２の底蓋２を筒形本体１・補強用筒体３の中に挿入してフラップ１１の上に載置する。
（４）貯水袋Ｄを筒形本体１内に収納してその給水口金７を口金通し孔８・５に通しておく。
（５）給水スタンド１０の導水ホース１０２の先端の接続具１０３を貯水袋Ｄの給水口金７に取り付ける。
（６）上蓋４を筒形本体１の上部開口に被せる。
（７）筒形本体１とパレット１５′を架設台１５の上に載置する（図１）。